(57)【要約】      （修正有）【課題】被検者の姿勢に適した撮影条件で撮影を行うことができる放射線撮影装置を提供する。【解決手段】放射線撮影装置１００は、放射線を出射する放射線源８と、放射線源８から出射され被検者５の検査対象７を透過した放射線を検出する放射線検出部９と、放射線源８と放射線検出部９との間に検査対象７を保持するための保持部２２と、被検者５の姿勢に関する情報に基づいて、保持部２２による検査対象７の保持状態及び保持方式の少なくとも一方を含む撮影条件を決定し、決定した撮影条件に応じて、少なくとも保持部２２を制御する制御部と、を有する。【選択図】図１
2015195872.tif 000002
【特許請求の範囲】
【請求項１】
放射線を出射する放射線源と、
前記放射線源から出射され被検者の検査対象を透過した放射線を検出する放射線検出部と、
前記放射線源と前記放射線検出部との間に前記検査対象を保持するための保持部と、
前記被検者の姿勢に関する情報に基づいて、前記保持部による前記検査対象の保持状態及び保持方式の少なくとも一方を含む撮影条件を決定し、決定した撮影条件に応じて、少なくとも前記保持部を制御する制御部と、
を有することを特徴とする放射線撮影装置。
【請求項２】
前記放射線源と前記放射線検出部と前記保持部とを支持する本体部を更に有し、
前記保持部は、前記検査対象を圧迫して保持する圧迫保持部、前記検査対象を吸引して保持する吸引保持部、及び、吸引および圧迫とは異なる保持方式で前記検査対象の保持が可能な内側面保持部の少なくともいずれか１つを含み、前記圧迫保持部及び前記吸引保持部は、前記本体部に対して着脱可能に連結されていることを特徴とする請求項１に記載の放射線撮影装置。
【請求項３】
前記制御部は、前記被検者の姿勢に関する情報に基づいて、前記圧迫保持部による前記検査対象を保持すること、前記吸引保持部による前記検査対象を保持すること、及び、前記圧迫保持部及び前記吸引保持部を用いた前記検査対象の保持をしないこと、のうちのいずれか１つを選択することを特徴とする請求項２に記載の放射線撮影装置
【請求項４】
前記本体部が昇降するように前記本体部を支持する昇降機構と、前記昇降機構の昇降方向に対して前記本体部を所望の角度で回転させて前記本体部を前記昇降方向に対して傾斜させる本体回転部と、を更に有し、
前記制御部は、前記本体回転部が前記本体部を回転させた量に基づいて、前記被検者の姿勢に関する情報を決定することを特徴とする請求項２叉は３のいずれか１項に記載の放射線撮影装置。
【請求項５】
前記本体部は、前記保持部のための開口を有する第１面と、前記第１面に対向する第２面と、前記第１面及び前記第２面とをつなぐ外側面と、を有し、
前記外側面は、前記検査対象を観察できる位置で前記外側面の少なくとも一部を開口できる開口部を有していることを特徴とする請求項２から４のいずれか１項に記載の放射線撮影装置。
【請求項６】
前記被検者の姿勢に関する情報をユーザが入力するための操作部を更に有し、
前記制御部は、前記操作部から前記被検者の姿勢に関する情報を取得することを特徴とする請求項１から５のいずれか１項に記載の放射線撮影装置。
【請求項７】
前記制御部は、前記被検者の姿勢に関する情報に基づいて、前記撮影条件として前記放射線源から出射される前記放射線の強度を選択することを特徴とする請求項１から６のいずれか１項に記載の放射線撮影装置。
【請求項８】
前記放射線源から出射する放射線が透過する透過線量の分布を調整する複数のフィルタを更に有し、
前記制御部は、前記被検者の姿勢に関する情報に基づいて、前記撮影条件として前記複数のフィルタから１つのフィルタを選択することを特徴とする請求項１から７のいずれか１項に記載の放射線撮影装置。
【請求項９】
前記制御部は、前記被検者の姿勢に関する情報に基づいて、前記撮影条件として前記放射線検出器の画素サイズを決定することを特徴とする請求項１から８のいずれか１項に記載の放射線撮影装置。
【請求項１０】
前記被検者の姿勢に関する情報は、被検者の姿勢が立位及び伏臥位のうち少なくともいずれか１つの姿勢である情報を含むことを特徴とする請求項１から９のいずれか１項に記載の放射線撮影装置。
【請求項１１】
前記検査対象は乳房であることを特徴とする請求項１から１０のいずれか１項に記載の放射線撮影装置。
【請求項１２】
放射線を出射する放射線源と、
放射線源から出射され検査対象である被検者の乳房を透過した放射線を検出する放射線検出部と、
前記放射線源と前記放射線検出部との間に前記乳房を保持する保持部と、
前記乳房を挟んで対向するように前記放射線源および前記放射線検出部を固定する固定部と、
前記保持部は、前記検査対象を圧迫して保持する圧迫保持部、及び、前記検査対象を吸引して保持する吸引保持部を少なくともいずれか１つを含み、
前記保持部を着脱可能に連結し、前記固定部を支持する本体部と、
前記被検者の姿勢に関する情報に基づいて前記保持部と前記本体部とを着脱可能な状態に制御する制御部と、
を有することを特徴とする乳房用の放射線撮影装置。
【請求項１３】
請求項１から１２のいずれか１項に記載の放射線撮影装置と、
前記放射線撮影装置における前記放射線源と前記放射線検出部により複数の異なる角度から前記検査対象を撮影した画像に基づいて断層画像を生成する画像処理部と、を有することを特徴とする断層撮影装置。
【請求項１４】
請求項１３に記載の断層撮影装置を有し、
前記放射線撮影装置で撮影された前記検査対象の画像に基づいて、前記検査対象の一部を採取することを特徴とするバイオプシ装置。
【請求項１５】
放射線を出射する放射線源と、前記放射線源から出射され被検者の検査対象を透過した放射線を検出する放射線検出部と、前記検査対象を保持するための保持部と、前記放射線源、前記放射線検出部、及び、前記保持部の少なくともいずれか１つを制御する制御部と、を有する放射線撮影装置を用いた放射線撮影方法であって、
前記制御部が、前記被検者の姿勢に関する情報を取得する工程と、
前記制御部が、取得された前記被検者の姿勢に基づいて、前記被検者の検査対象の保持状態および保持方式の少なくとも一方を含む撮影条件を決定する工程と、
前記制御部が、決定された前記撮影条件に応じて、放射線源、放射線検出部、及び、保持部の少なくともいずれか１つを制御する工程と、
を行うことを特徴とする放射線撮影方法。
【発明の詳細な説明】
【技術分野】
【０００１】
本発明は、放射線撮影装置及び断層撮影装置に関する。
【背景技術】
【０００２】
放射線による撮影として、特に乳房検査に際する放射線による撮影は、その用途に応じて、患者である被検者は立位・座位・伏臥位等の様々な姿勢で行われる。例えば、検診用途においては、患者の負担が小さく撮影時間も短いため立位姿勢が選択される。生検を伴う精密検査においては、医師や技師の作業性を考慮し伏臥位が選択される。
特許文献１には被検者の複数の姿勢に対応した、乳房の断層撮影が可能なＣＴ装置が開示されている。
【先行技術文献】
【特許文献】
【０００３】
【特許文献１】国際公開第０６／１０６９２７号
【発明の概要】
【発明が解決しようとする課題】
【０００４】
しかしながら、特許文献１では、複数の被検者の姿勢に対応した撮影条件との関係性については開示がされていない。そのため、特許文献１では、被検者の姿勢に適した条件での放射線による撮影を行うことが困難であった。
そこで本発明では、被検者の姿勢に適した撮影条件で撮影を行うことができる放射線撮影装置を提供することを課題とする。
【課題を解決するための手段】
【０００５】
そこで本発明における放射線撮影装置は、放射線を出射する放射線源と、前記放射線源から出射され被検者の検査対象を透過した放射線を検出する放射線検出部と、前記放射線源と前記放射線検出部との間に前記検査対象を保持するための保持部と、前記被検者の姿勢に関する情報に基づいて、前記保持部による前記検査対象の保持状態及び保持方式の少なくとも一方を含む撮影条件を決定し、決定した撮影条件に応じて、少なくとも前記保持部を制御する制御部と、を有することを特徴とする放射線撮影装置。
【発明の効果】
【０００６】
上記手段により、被検者の姿勢に適した撮影条件で撮影を行うことができる放射線撮影装置を提供することが可能となる。
【図面の簡単な説明】
【０００７】
【図１】第一の実施形態における放射線撮影装置の構成を示す図である
【図２】第一の実施形態における放射線撮影装置の機能構成を示す図である。
【図３】第一の実施形態における放射線撮影装置の吸引保持部の一例を示す図である。
【図４】第一の実施形態における放射線撮影装置の圧迫保持部の一例を示す図である。
【図５】第一の実施形態における放射線撮影装置が様々な姿勢に対応した状態を示す図である。
【図６】第一の実施形態における放射線撮影装置の条件設定時のフローチャートである。
【図７】第二の実施形態における放射線撮影装置の構成を示す図である。
【発明を実施するための形態】
【０００８】
以下、図面を参照して、本発明の実施形態を詳細に説明する。ただし、この実施形態に記載されている構成要素はあくまで例示であり、本発明の技術的範囲は、特許請求の範囲によって確定されるのであって、以下の個別の実施形態によって限定されるわけではない。
【０００９】
［第１実施形態］
図１に第一の実施形態における放射線撮影装置１００の構成を示す。図１に示す放射線撮影装置１００は、昇降機構１と本体部２と制御部１５から構成されている。昇降機構１は、本体部２が昇降するように本体部２を支持している。そして、本体部２は、放射線源８と、放射線検出部９と、保持部２２と、を支持している。更に、本体部２はフィルタ２４を有している。フィルタ２４は放射線源８と検査対象７との間に配置されている。また、放射線撮影装置１００は、放射線源８と放射線検出部９との間に検査対象７を保持するための保持部２２を有している。そして、保持部２２は、検査対象７を圧迫して保持する圧迫保持部３０及び検査対象７を吸引して保持する吸引保持部２０の少なくともいずれか１つを含んでいる。圧迫保持部３０及び吸引保持部２０は、本体部２に対して着脱可能に連結されている。更に、保持部２２は、本体部２に固定された内側面保持部５１を有している。以下では、内側面保持部５１で覆われ、検査対象７が配置されるための空間を撮影領域として説明する。また、放射線源８と放射線検出部９は、検査対象７を挟んで対向するように固定部１０に配置されている。そして、放射線撮影装置１００は、検査対象７を中心に固定部１０を回転させるベース回転部１１を有している。ベース回転部１１は本体部２と連結されている。制御部１５は放射線撮影装置１００のシステム全般の制御を行う。そして、制御部１５は、被検者５の姿勢に関する情報に基づいて、保持部２２による検査対象７の保持状態及び保持方式の少なくとも一方を含む撮影条件を決定しうる。そして、制御部１５は当該決定された保持状態及び保持方式に応じて、放射線源８、放射線検出部９及び保持部２２の少なくともいずれか１つを制御する。ここで、保持方式とは、検査対象７の保持の方法を示し、保持部２２によって決定される保持方法や、保持部２２によって保持されない場合を少なくとも含みうる。ここで、保持状態とは、検査対象７の保持の状態や保持の条件を示し、例えば、吸引や圧迫の強度等が含まれる。
【００１０】
次に、図２を用いて放射線撮影装置１００の機能構成を説明する。図２は、放射線撮影装置１００の機能構成を示すブロック図である。放射線源８は、所定の放射線の強度で放射線を出射し、検査対象７は当該放射線を照射されうる。放射線の強度は制御部１５によって制御される。放射線源８は、例えば、Ｘ線管球であり、高電圧発生部からＸ線管球に入力されるＸ線管入力に応じてＸ線を発生しうる。ここで、Ｘ線管入力とは、Ｘ線管球のＸ線の出力を規定するものであり、管電圧、管電流等を含みうる。放射線の強度は、制御部１５から高電圧発生部からＸ線管球へのＸ線管入力により決定される。放射線の強度とは放射線源８から出射される照射線量の大きさである。なお、放射線源８はＸ線管球とともに高電圧発生部を含みうる。
【００１１】
放射線検出部９は、検査対象７を透過した放射線を検出して画像データを生成する。画像データは、制御部１５により取得され、断層画像を生成する場合には、画像処理部に送信する。例えば、放射線検出部９は、平面検出器（Ｆｌａｔ  Ｐａｎｅｌ  Ｄｅｔｅｃｔｏｒ：ＦＰＤ）とデータ生成部を有する。ＦＰＤは半導体からなる複数の画素を有している。データ生成部は、各画素に蓄積された電荷に応じて画像データを生成する。そして画像データは画像処理部１９に送信される。各画素の画素サイズは、撮影条件に応じて制御部１５により変更することができる。
【００１２】
フィルタ２４は、放射線源８から出射された放射線が透過する透過線量の分布を調整する機能を有する。透過線量の分布を調整する機能の一例として、フィルタ２４は、放射線の照射野を制限する機能と、放射線検出部９で検出する透過線量を一定にするための機能を有する。具体的には、フィルタ２４としては、ウェッジフィルタ、付加フィルタ、コリメータが好適に用いられる。被検者５の姿勢に応じて検査対象７の形状は変更されるため、フィルタ２４は撮影時に適宜選択される。そして撮影対象の形状は、保持部２２の保持状態及び保持方式に依存するため、保持方式に応じてフィルタ２４が決定されうる。制御部１５はフィルタ２４の選択および変更を行うための制御を行う。例えば、フィルタ２４は、制御部１５により放射線撮影装置１００内に予め構成された複数のフィルタの中から１つのフィルタ２４を選択することができる。一方、フィルタ２４を選択する他の方法として、制御部１５は、放射線を吸収する複数の材料の組み合わせを決定してフィルタ２４の形状を変更することもできる。
【００１３】
ベース回転部１１は、固定部１０を回転させるための機構を有する。放射線撮影装置１００は、ベース回転部１１により固定部１０を回転させながら撮影できるため、検査対象７を複数の異なる角度から撮影することができる。ベース回転部１１は、制御部１５から制御指令を受け、所定の角度を回転する。回転するための機構としては、例えば、モータ等の駆動機構とギアやラック等の機械部品を有している。さらに、ベース回転部１１と固定部１０との相対的な回転量を検出するために、エンコーダ等を有していてもよい。一方で、ベース回転部１１と固定部１０との所定の回転位置を検出するためにセンサを有していてもよい。当該センサは電界あるいは磁界を検出する種々のセンサを使用しうる。
【００１４】
本体回転部１２は、本体部２の回転させるための機構を有する。本体回転部１２は、昇降機構１の昇降方向に対して本体部２を所望の角度で回転させて本体部２を昇降方向に対して傾斜させることができる。所望の角度は、被検者５の姿勢に応じて決定されうる。本体回転部１２は、本体部２を、被検者５の姿勢に対応した所望の角度に回転させることができる。本体回転部１２は、例えば、モータ等の駆動機構とギアやラック等の機械部品から構成されている。さらに、本体回転部１２と昇降機構１の相対的な回転量を検出するために、エンコーダ等を有していてもよい。また、本体回転部１２と昇降機構１の相対的な回転量を直接検出するものでなくても、所望の回転位置を検出するためのセンサを有していてもよい。当該センサは電界あるいは磁界を検出する種々のセンサを使用しうる。制御部１５は、これらの検出手段により、本体回転部１２の回転量を取得することで、本体部２の角度を検出することができ、被検者５の姿勢に関する情報を取得することができる。
【００１５】
制御部１５は、放射線撮影装置１００全体の動作を制御しうる。制御部１５は一例として、ＣＰＵ等を有するハードウェアで構成される。制御部１５は、被検者５の姿勢に関する情報に基づいて撮影条件を選択し、各部に対し制御指令を発する。そして、各部は当該制御指令に基づいて動作を行いうる。ここで、被検者５は放射線撮影装置１００によって撮影される検査対象７としての撮影部位を有する患者である。撮影条件は、放射線撮影を行うための条件である。撮影条件は、少なくとも保持部の保持状態、保持方式を含んでいる。さらに、撮影条件は、放射線の強度、放射線検出部、フィルタを含みうる。被検者の姿勢に関する情報とは、被検者５が撮影される際の姿勢を含む情報である。姿勢は、例えば、立位、伏臥位、横臥位、座位があるがこれに限定されるものではない。また、制御部１５は少なくとも被検者５が立位か伏臥位であるかの情報を取得することができる。そして、制御部１５は、操作部１６からユーザによって入力された情報に基づいて被検者５の姿勢の情報を取得することができる。前述したように、制御部１５は、本体回転部１２の回転角度に基づいても被検者５の姿勢の情報を取得することができる。制御部１５は、本体回転部１２の回転角度と被検者５が撮影された姿勢とを予め対応づけておくことで、姿勢に関する情報に基づいて撮影条件を選択することができる。
【００１６】
操作部１６は、制御部１５に接続されている。操作部１６は、例えば、マウス、キーボート、タッチパネル等のユーザインターフェース（ＵＩ）であり、操作に応じた信号を制御部に対し出力する。ユーザは、操作部１６から被検者５の姿勢に関する情報を入力し制御部１５に出力する。
【００１７】
画像処理部１７は、放射線検出部９で取得した画像データについてオフセット補正、ゲイン補正、欠陥補正、対数変換等の再構成を行うために必要な前処理を行いうる。画像処理部１７は、その後画像再構成を行い、断層画像を生成する。画像再構成に使うアルゴリズムは特に限定されるものはなく、フィルタードバックプロジェクション法などの解析的再構成，逆行列や逐次的な方法を用いる代数的な再構成などを用いることができる。
【００１８】
保持部２２について説明する。保持部２２は  検査対象７を所定の形状で保持する機能を有する。保持部２２は、当該機能を有することにより、放射線撮影時の被検者５の動きや不随意運動が放射線画像に及ぼす影響を低減することができる。なお、本実施形態では、検査対象７は乳房であるがこれに限るものではない。保持部２２を放射線が透過することで放射線が減衰されることを低減するため、保持部２２は、放射線透過率の高い材料で構成する。保持部２２は、乳房を圧迫して保持する圧迫保持部３０と、検査対象７を吸引して保持する吸引保持部２０と、吸引および圧迫とは異なる保持方式で乳房の保持が可能な内側面保持部５１の少なくともいずれか１つを有する。さらに圧迫保持部３０と吸引保持部２０は、本体部２に対して着脱可能に連結されている。内側面保持部５１は、本体部２の内側面の一部として配置されて固定されている。なお、内側面保持部５１は、本体部２の内径を形成するカバーとしても機能する。制御部１５は、本体部２を制御し、保持部２２の着脱状態を制御できる。圧迫保持部３０及び吸引保持部２０と本体部２とを連結して保持するために、例えば、本体部２と圧迫保持部３０及び吸引保持部２０の双方に電磁石を設けることで磁力により固定することができる。また、保持部２２と本体部２とを機械的に連結させ、制御部１５により連結状態を制御することもできる。また、吸引および圧迫とは異なる保持方式として、被検者５の姿勢や、乳房のサイズに応じて保持部２２で保持しないものとすることもできる。この構成により、被検者の姿勢に応じた、適切な保持部で放射線撮影を行うことができる。
【００１９】
図３は保持部２２の一例である吸引保持部２０を示す図である。なお、図３は、被検体５および内側面保持部５１を省略した図としている。吸引保持部２０は、本体部２に着脱可能に連結されている。吸引保持部２０は、吸引カップ２１と引込ボールネジ２５を有する。引込ボールネジ２５は駆動機構であり、吸引カップ２１を撮影領域の内外に移動させることができる。なお、吸引カップ２１を撮影領域の内外に移動させるものであればこれに限られるものではない。当該撮影領域の内外に移動させる場合に、ユーザ（不図示）の手技で行ってもよいが、制御部１０９が電気的に制御して移動させてもよい。図３（ａ）に吸引カップ２１を検査対象７である乳房に装着する状態を示す。引込ボールネジ２５により、吸引カップ２１を被検者５が乳房に装着できる位置まで移動させる。被検者５の乳房が吸引カップ２１に挿入されて、減圧部（不図示）により吸引カップ２１内の空気を減圧することにより、乳房が吸引カップ２１内に固定される。減圧部への制御は、制御部１０９によって行われる。図３（ｂ）に放射線撮影装置１００が、吸引カップ２１で乳房を保持し撮影できる状態を示す。乳房は、吸引カップ２１内に保持された後に引込ボールネジ２５によって、吸引カップ２１を本体部２の撮影領域に引き込まれる。なお、乳房の固定方法は上記の手順に限定されるものではない。吸引カップ２１が撮影領域に引き込まれ固定された後に、乳房を挿入して減圧してもよい。吸引カップ２１の断面形状は、円形又は楕円形とする。吸引カップ２１が当該形状であるため、断層撮影の際に撮影方向が異なる場合での乳房の厚みが略均一になり透過線量の変化を低減することができ、断層画像の生成が容易となる。また、ユーザは、乳房の形状に応じて適切な形状の吸引カップ２１を選択できる。そのため、保持部２２は、乳房の形状に依らず保持が可能となる。
【００２０】
図４は保持部２２の一例である圧迫保持部３０を示す図である。図４では、内側面保持部５１は不図示としている。放射線撮影装置１００は、圧迫保持部３０を有し、圧迫板３２により乳房を挟んで保持することができる。圧迫保持部３０は、圧迫ベース３１及び圧迫板３２を有する。圧迫保持部３０は、圧迫ベース３１に対して圧迫板３２を押し当てて圧迫することで乳房を保持することができる。なお、圧迫保持部３０としては、複数枚の圧迫板３２を円弧上に組み合わせ配置する方法、曲面を有する複数枚の圧迫板３２を曲面が重なるように組み合わせる方法を用いてもよい。また、図３中の内側面保持部５１について説明する。内側面保持部５１は、本体部２に固定され減圧部（不図示）が接続される。内側面保持部５１は、接続された減圧部により、撮影領域の空気を減圧し、乳房を保持することもできる。内側面保持部５１での保持は、吸引保持部２０や圧迫保持部３０を用いないため、放射線の減衰や散乱の影響を低減することができる。放射線撮影装置１００は、上述した種々の保持部２２は、自由に組み合わせ可能である。
【００２１】
図５は、様々な姿勢に対応した状態の放射線撮影装置１００について示す。なお、図５中では、被検者５は不図示としている。放射線撮影装置１００は、撮影時の被検者の姿勢に応じて角度を変化することができる。放射線撮影装置１００は、図５（ａ）の状態を回転角度の基準位置（０度）とする。立位での撮影の場合、放射線撮影装置１００は、図５（ａ）に示す状態で使用される。伏臥位での撮影の場合、放射線撮影装置１００は、図５（ｂ）の状態で使用される。この場合、本体部２が右方向に９０度回転している。更に、本体部２は、連結部（不図示）を有し、寝台部３を連結することができる。この場合において、被検者５は、寝台部３の上に乗り伏臥位の姿勢をとることができる。放射線撮影時に本体部２と寝台部３は段差がないように連結されている。そして、被検者５が、本体部２に乳房を撮影領域に挿入することで、放射線撮影をすることができる。なお、放射線撮影装置１００は、図５（Ｃ）に示すように更に本体部２を回転させることで、座位での撮影も可能となる。座位での撮影は椅子４１があることが好ましい。なお、図５（ｂ）に示す状態で、本体部２と寝台部３は連結して昇降できる構造としてもよい。このように、放射線撮影装置１００は、様々な姿勢に対応して撮影することが可能である。なお、ここで示した本体部２の角度は代表的な角度であり、被検体の体格や体型に応じて適宜角度を微調整できる。更に、基準とする角度は、設置環境や使用状況に応じて、適宜変更されうる。
【００２２】
以下では、図５で示した姿勢に応じて設定される好適な撮影条件について説明する。まず、立位での好適な撮影条件について説明する。放射線撮影装置１００は、主に検診用の撮影の際に立位での撮影を行う。放射線撮影装置１００は、立位での撮影を可能とすることで、患者スループットを他の姿勢と比較して高くすることができる。立位撮影時は乳房が自重により変形するため、保持部２２により乳房を所定の形状に保持することが望ましい。制御部１５は、保持部２２として吸引保持部２０を選択する。この場合、制御部１５は、保持された乳房の形状に応じて、放射線の強度およびフィルタ２４を選択する。制御部１５は、吸引保持部２０の形状に対応したフィルタ２４を選択し、放射線撮影に使用するフィルタ２４として選択する。さらに、吸引保持部２０とフィルタ２４に対応した放射線の強度を選択する。また、制御部１５は、吸引保持部２０を用いずに内側面保持部５１を選択することもできる。この場合は内側面保持部５１内を減圧し乳房の形状を保持することが好ましい。以上により制御部１５は立位撮影に適した撮影条件を選択することができる。
【００２３】
次に伏臥位での好適な撮影条件について説明する。伏臥位撮影は、検診用途に加えて精密検査に使用される。精密検査の一例としては、放射線撮影を行いながら乳房中の病変部位の組織を採取する生体組織診断（バイオプシ）がある。また、伏臥位撮影は、立位や座位の姿勢を取ることが困難な被検者５に対しても有効なである。伏臥位撮影は、自然落下の保持方式で撮影を行いうる。伏臥位撮影は、検査対象７である乳房が重力により自然落下し、形状が一定となるので保持部２２により保持せずとも撮影を行うことができる。また、伏臥位撮影は乳房が自然落下するため、乳房を胸壁部分近くまで撮影することができる。さらに、伏臥位撮影は、被検者５の姿勢が立位よりも容易に安定させることができる。更に、内側面保持部５１により乳房を保持することもできる。伏臥位撮影は、自然落下により形状が規定されるので、内側面保持部５１による減圧をしなくてもよい。他の撮影方法として、伏臥位撮影時であっても、乳房を吸引保持部２０により保持し撮影することもできる。乳房は、吸引保持により異なる被検者５であっても、断面形状が規定される。乳房は、保持部２２により保持されずに自由落下にする場合、乳房断面は大きく乳房長が短くなる。このため、制御部１５は、乳房断面に合わせて放射線の強度を大きく設定する。さらに、乳房は圧迫保持部３０で保持されると圧迫方向の断面は小さくなるが、圧迫する面の方向の乳房の断面が大きくなり、乳房長が長くなる。このように、被検者５の姿勢が変わることで検査対象７の断面形状が変化するため、制御部１５は、乳房の保持状態及び保持方式に応じてフィルタ２４を選択する。さらに、制御部１５は、保持部２２およびフィルタ２４に適した放射線の強度を選択する。この場合において、制御部１５は、放射線検出部９への透過線量が均一になるようなフィルタ２４を選択する。この構成により、制御部１５は伏臥位撮影に適した撮影条件を選択することができる。
【００２４】
その他の撮影条件について説明する。断層撮影を行う際の放射線検出部９で取得される画像データの画素サイズについて説明する。精密検査では、悪性良性の判断及び採取すべき組織の領域を正確に判断する為に高精細な画像が要求される。精密検査の場合、制御部１５は、放射線源８の放射線強度を撮影画像の断面の大きさ及び要求される画像の精度（画素分解能等）に基づいて決定する。そして、放射線検出部９での画素加算等の設定を変更し画素サイズも合わせて決定する。
【００２５】
上述したように、立位および伏臥位を例に被検者５の姿勢に適した撮影条件について述べたがこれに限られるものではない。他の姿勢として座位、仰臥位であってもよい。この場合も、被検者５の姿勢と、検査対象７とこれらに基づいて決定される保持方式によって撮影条件を設定することができる。また、上述の撮影条件の大小関係は一例であり、保持部２２の材質、検査対象７の断面形状、フィルタ２４の材質や形状、使用する放射線源８のスペクトルにより変更になる場合がある。
【００２６】
図６は本実施形態の放射線撮影装置１００の撮影時の処理の流れを示す図である。まず、ステップＳ０１では撮影準備を行う。ここで、ユーザは、被検者５を撮影できる姿勢にする。次にステップＳ０２で制御部１５は、被検者５の姿勢に関する情報を取得し、立位撮影か伏臥位撮影かの判断を行う。立位撮影を選択した場合、制御部１５は、吸引保持部２０を本体部２に連結させるように固定する（Ｓ０３）。ステップＳ０３ではユーザは、被検者５の乳房のサイズに対応した吸引カップ２１を吸引保持部２０に接続しておく。また、ユーザは、吸引カップ２１を使用せず内側面保持部５１を選択することもできる。次に、伏臥位撮影の場合、制御部１５は、乳房を保持するか否かの判断を行う（Ｓ０４）。保持することを選択した場合、制御部１５は、圧迫保持部３０を本体部２に連結させるように制御する（Ｓ０５）。この場合にユーザは、被検者５の乳房サイズに対応した圧迫ベース３１や圧迫板３２を使用する。乳房固定しない場合は、ユーザは、取り付けられている保持部を取り外す（Ｓ０６）。乳房固定部２０の有無、方式及びサイズに対応してフィルタ２４が選択される。制御部１５は、選択されたフィルタ２４に対応し、放射線の強度を決定する（Ｓ０８）。断層撮影を行う場合には、放射線の強度は再構成画像に要求される分解能にも依存する。そのため、制御部１５は、高精細な画像が要求される場合は放射線の強度を高く設定する。そして、制御部１５は、放射線を照射し放射線撮影を行う（Ｓ０９）。断層撮影を行う場合には、制御部１５は、複数の異なる角度から乳房を撮影する。その後、画像処理部１７で画像処理を行った画像を表示部（不図示）に表示する（Ｓ１０）。なお、上記の処理の流れは一例であり、これに限定されるものではない。例えば、保持部２２は、いずれの場合も吸引保持部２０とすることもできるし、いずれの姿勢であっても吸引保持部２０の代わりに内側面保持部５１のみを使用することもできる。また各手順は適宜入れ替えることもできる。
【００２７】
以上により、被検者５の姿勢に適した撮影条件を決定する放射線撮影装置を提供することが可能となる。
【００２８】
［第２実施形態］
第二の実施形態における放射線撮影装置１００の構成を図７に示す。精密検査の一つである生体材料検査（バイオプシ）を伴う放射線撮影装置での好適な実施形態について説明する。第１の実施形態との違いは、本体部２のうち検査対象７を観察できる位置で一部が開口できる開口部４を有している点である。以下第二の実施形態について詳細に説明する。
【００２９】
図７に示す放射線撮影装置１００における本体部２は、保持部２２のための開口を有する第１面と、第１面に対向する第２面と、第１面及び第２面とをつなぐ外側面とを有している。更に、外側面は、検査対象７を観察できる位置で外側面の少なくとも一部を開口できる開口部４を有している。検査対象７である乳房の生検部位に対して開口部４は、バイオプシの手技を行う場合に開かれることで、検査対象７である乳房に対してユーザ６が手技をすることが可能となる。そして、開口部４は放射線撮影時には閉じられているものとする。なお、開口部４の用途は乳房に対して手技を行う場合に限られるものではない。例えば、ユーザ６が伏臥位撮影時に乳房の状態を観察する場合にも開口部４を使用することができる。外側面の中での開口部４の位置は、本体部２と寝台部３との連結部と異なる部分であることが好ましい。さらに、開口部４は、左右いずれかの乳房を手技するかによって、好適な位置が異なる。図７（ｂ）は、被検者５の左側の乳房を撮影し、手技する場合を示している。この場合は、昇降機構１に向って右側に開口部４を有する。一方、図７（ｃ）は、昇降機構１と本体部２に対し寝台部３が配置される場合には、昇降機構１と対向する位置に開口部４を有している。
【００３０】
バイオプシに対応した放射線撮影装置１００において好適な条件について説明する。放射線撮影装置１００は、穿刺する場所を画像上で特定するために、放射線撮影および断層撮影が行われる。バイオプシの過程では穿刺針４０を進入させるため乳房の周囲が覆われる吸引保持部２０より図４で示した圧迫保持部３０が適している。圧迫保持部３０で保持する場合、乳房の周囲の少なくとも一部を露出した状態で保持できる。そのため、ユーザ６は乳房に対し、穿刺針４０を進入させることが容易である。また、圧迫板３２及び圧迫ベース３１は、圧迫曲面が円形になるように圧迫している。このため、断層撮影の際に投影方向毎に透過線量が大きく変化しないようにすることができる。さらに、圧迫保持は複数の曲面に限られるものではなく、曲面と平面の組合せとしてもよい。そして、制御部１５は保持部により保持された乳房の形状に基づいて、撮影条件を設定することができる。
【００３１】
以上の構成により、被検者５の姿勢に基づいた撮影条件を設定可能であり、バイオプシに対応した放射線撮影装置を提供できる。
【００３２】
なお、本発明の各実施形態は、コンピュータや制御コンピュータがプログラム（コンピュータプログラム）を実行することによって実現することもできる。また、プログラムをコンピュータに供給するための手段、例えばかかるプログラムを記録したＣＤ−ＲＯＭ等のコンピュータが読み取り可能な記録媒体又はかかるプログラムを伝送するインターネット等の伝送媒体も本発明の実施例として適用することができる。また、上記のプログラムも本発明の実施例として適用することができる。上記のプログラム、記録媒体、伝送媒体及びプログラムプロダクトは、本発明の範疇に含まれる。また、第１、第２の実施形態から容易に想像可能な組み合わせによる発明も本発明の範疇に含まれる。
【符号の説明】
【００３３】
５  被検者
７  検査対象
８  放射線源
９  放射線検出部
１５  制御部
２２  保持部
１００  放射線撮影装置
【図１】
2015195872.tif 000003
【図２】
2015195872.tif 000004
【図３】
2015195872.tif 000005
【図４】
2015195872.tif 000006
【図５】
2015195872.tif 000007
【図６】
2015195872.tif 000008
【図７】
2015195872.tif 000009